(57)【要約】【課題】ストロボ機能を有し、かつ被写体を撮影する複数の撮影装置とその撮影装置を遠隔操作する情報処理装置とを含み、調光に関する不具合を容易に回避することのできる撮影システムを提供する。【解決手段】複数の撮影装置と情報処理装置とを有する撮影システムであって、被写体を撮影する際に被写体に光を照射する照射手段を有する撮影装置は、撮影指示情報を受信することにより前記被写体の撮影を実行し、前記情報処理装置は、記撮影指示情報の送信の開始を指示されると、前記撮影装置毎に前記撮影指示情報を一度ずつ、かつ前記撮影装置毎に予め定められた前記撮影指示情報を送信する順番に従って、前記撮影指示情報を所定の間隔で送信する。【選択図】図１
2007228178.tif 000002
【特許請求の範囲】
【請求項１】
情報処理装置と複数の撮影装置とを有する撮影システムであって、
前記撮影装置は、
被写体を撮影する際に被写体に光を照射する照射手段と、
撮影指示情報を受信することにより前記被写体の撮影を実行する撮影実行手段と、
を有し、
前記情報処理装置は、
前記撮影指示情報の送信の開始を指示する撮影開始指示手段と、
前記撮影開始指示手段から指示されると、前記撮影装置毎に前記撮影指示情報を一度ずつ、かつ前記撮影装置毎に予め定められた前記撮影指示情報を送信する順番に従って、前記撮影指示情報を所定の間隔で送信する撮影指示情報送信手段と、
を有する撮影システム。
【請求項２】
前記順番を設定する順番設定手段を更に有する請求項１に記載の撮影システム。
【請求項３】
前記情報処理装置は、前記所定の間隔を設定する間隔設定手段を更に有する請求項１または請求項２に記載の撮影システム。
【請求項４】
前記撮影装置と前記情報処理装置は、無線により前記撮影指示情報の送受信を行う請求項１から請求項３のいずれか１項に記載の撮影システム。
【請求項５】
前記情報処理装置は、撮影装置である請求項１から請求項４のいずれか１項に記載の撮影システム。
【発明の詳細な説明】
【技術分野】
【０００１】
本発明は、撮影システムに関し、特にストロボ撮影機能を有する複数の撮影装置で被写体を撮影する撮影装置とその撮影装置を遠隔操作する情報処理装置とを含む撮影システムに関する。
【背景技術】
【０００２】
近年のネットワークの普及に伴い、デジタルカメラなどの撮影装置にもネットワーク機能を有するものが多くなっている。撮影装置のネットワーク機能は、ＵＳＢやＩＥＥＥ１３９４、あるいは無線ＬＡＮなどで提供され、撮影したデジタル画像データをＰＣに送信することなどが可能となっている。
【０００３】
そして、この種のネットワーク機能を有するデジタルカメラに関する技術として、特許文献１には、ストロボを使用して被写体を協調撮影する際に、露出がアンダーとなったり逆に露光オーバーとなって撮影されるのを防止する技術が開示されている。
【特許文献１】特開２００４−２３５７８６号公報
【発明の開示】
【発明が解決しようとする課題】
【０００４】
しかしながら、特許文献１に開示されている技術では、発光量の設定や、複数の照射手段のうちのいずれの照射手段を照射させるかの設定を行わなければならず、調光に関する不具合を回避するための手間がかかるという問題点がある。
【０００５】
本発明は上記問題点に鑑み、ストロボ機能を有し、かつ被写体を撮影する複数の撮影装置とその撮影装置を遠隔操作する情報処理装置とを含み、調光に関する不具合を容易に回避することのできる撮影システムを提供することを目的とする。
【課題を解決するための手段】
【０００６】
上記目的を達成するために請求項１の発明は、情報処理装置と複数の撮影装置とを有する撮影システムであって、前記撮影装置は、被写体を撮影する際に被写体に光を照射する照射手段と、撮影指示情報を受信することにより前記被写体の撮影を実行する撮影実行手段と、を有し、前記情報処理装置は、前記撮影指示情報の送信の開始を指示する撮影開始手段と、前記撮影開始指示手段から指示されると、前記撮影装置毎に前記撮影指示情報を一度ずつ、かつ前記撮影装置毎に予め定められた前記撮影指示情報を送信する順番に従って、前記撮影指示情報を所定の間隔で送信する撮影指示情報送信手段と、を有する。
【０００７】
ここで、請求項１に記載の撮影システムでは、複数の撮影装置と情報処理装置とを有する撮影システムであって、被写体を撮影する際に被写体に光を照射する照射手段を有する撮影装置は、撮影指示情報を受信することにより前記被写体の撮影を実行し、前記情報処理装置は、記撮影指示情報の送信の開始を指示されると、前記撮影装置毎に前記撮影指示情報を一度ずつ、かつ前記撮影装置毎に予め定められた前記撮影指示情報を送信する順番に従って、前記撮影指示情報を所定の間隔で送信するので、調光に関する不具合を容易に回避する撮影システムを提供することができる。
【０００８】
また、請求項２の発明は、前記順番を設定する順番設定手段を更に有する。
【０００９】
ここで、請求項２に記載の撮影システムでは、ユーザは、撮影装置が撮影する順番を設定することができる。
【００１０】
また、請求項３の発明は、前記所定の間隔を設定する間隔設定手段を更に有する。
【００１１】
ここで、請求項３の発明では、ユーザは、撮影装置が撮影する間隔を設定することができる。
【００１２】
また、請求項４の発明は、前記撮影装置と前記情報処理装置は、無線により送受信を行う。
【００１３】
ここで、請求項４の撮影システムでは、ＩＥＥＥ８０２．１１ａ／ｂ／ｇやBlue Tooth、あるいはＩＲなどの無線により送受信を行うようにしても良い。
【００１４】
また、請求項５の発明は、前記情報処理装置は、撮影装置である。
【００１５】
ここで、請求項５の撮影システムでは、情報処理装置を、撮影装置とすることができる。
【発明の効果】
【００１６】
本発明によれば、ストロボ機能を有し、かつ被写体を撮影する複数の撮影装置とその撮影装置を遠隔操作する情報処理装置とを含み、調光に関する不具合を容易に回避することのできる撮影システムを提供することができるという効果が得られる。
【発明を実施するための最良の形態】
【００１７】
以下、図面を参照して、本発明の実施の形態について詳細に説明する。本実施の形態においては、情報処理装置をデジタルカメラとして説明する。
【００１８】
まず、図１を参照して本実施の形態に係る撮影システムの全体構成について説明する。図１には、無線ＬＡＮなどで通信可能なデジタルカメラ７０、７０ａ、７０ｂ、７０ｃが示されている。デジタルカメラ７０は、デジタルカメラ７０ａ、７０ｂ、７０ｃ毎に撮影指示情報を一度ずつ、かつデジタルカメラ７０ａ、７０ｂ、７０ｃ毎に予め定められた撮影指示情報を送信する順番に従って、撮影指示情報を所定の間隔で送信するデジタルカメラである。
【００１９】
デジタルカメラ７０ａ、７０ｂ、７０ｃは、撮影指示情報を受信することにより、ストロボで被写体に光を照射して撮影を実行するデジタルカメラである。
【００２０】
デジタルカメラ７０は、図１に示されるように、デジタルカメラ７０ａに撮影指示情報を送信した後、５ｍｓｅｃ（ミリ秒）後にデジタルカメラ７０ｂに撮影指示情報を送信し、さらに３ｍｓｅｃ後にデジタルカメラ７０ｂに撮影指示情報を送信する。
【００２１】
このようにすることにより、ストロボが被写体に光を同時に照射しないので、白とびなど調光に関する不具合を回避することができる。
【００２２】
次に、図２を参照して、本実施の形態に係るデジタルカメラの外観上の構成を説明する。なお、ここでは、上述したデジタルカメラ７０、７０ａ、７０ｂ、７０ｃをデジタルカメラ１０として説明する。
【００２３】
デジタルカメラ１０の正面には、被写体像を結像させるためのレンズ２１と、撮影時に必要に応じて被写体を照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００２４】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２５】
そして、デジタルカメラ１０では、レリーズボタン５６Ａを半押し状態にすることによりＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００２６】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び撮影によって得られた被写体像をＬＣＤ３８に再生するモードである再生モードの何れかのモードに設定する際にスライド操作されるモード切替スイッチ５６Ｃと、が備えられている。
【００２７】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００２８】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。
【００２９】
次に、図３を参照して、本実施の形態に係るデジタルカメラ１０の電気系の要部構成を説明する。
【００３０】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３１】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３２】
なお、デジタル信号処理部３０は、所定容量のラインバッファを内蔵し、入力されたデジタルデータを後述するメモリ４８の所定領域に直接記憶させる制御も行う。
【００３３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３４】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００３５】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、他のデジタルカメラと通信をするための無線ＬＡＮインタフェース６０と、を含んで構成されている。
【００３６】
なお、本実施の形態のデジタルカメラ１０では、メモリ４８としてＶＲＡＭ（Video RAM）が用いられ、メモリカード５２としてスマートメディア（Smart Media(登録商標)）が用いられている。
【００３７】
デジタル信号処理部３０、ＬＣＤインタフェース３６、ＣＰＵ４０、メモリインタフェース４６、外部メモリインタフェース５０、無線ＬＡＮインタフェース６０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、無線ＬＡＮインタフェース６０を用いた通信、メモリ４８及びメモリカード５２へのメモリインタフェース４６乃至外部メモリインタフェース５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００４１】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４２】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４３】
次に、本実施の形態に係るデジタルカメラ１０の撮影時における全体的な動作について簡単に説明する。
【００４４】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４５】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４６】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００４７】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４８】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００４９】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００５０】
なお、以上説明したデジタルカメラ７０と、７０ａ、７０ｂ、７０ｃとの間の通信で用いられるプロトコルは、デジタル画像データなど、若干のパケット欠落を許しても良いデータの送信の場合、処理が軽いＵＤＰとし、それ以外の例えば撮影指示情報の場合、信頼性のあるＴＣＰとしても良い。また、デジタル画像データなどのデータをユニキャストでは無く、ブロードキャストあるいはマルチキャストで送信しても良い。
【００５１】
以下、デジタルカメラ７０、７０ａ、７０ｂ、７０ｃにおける処理を、フローチャートを用いて説明する。以下の説明において、デジタルカメラ７０ａ、７０ｂ、７０ｃのように遠隔操作されるデジタルカメラをスレーブと表現し、デジタルカメラ７０のように遠隔操作するデジタルカメラをマスタと表現する。
【００５２】
まず、図４を用いてスレーブの処理について説明する。この図４で説明される処理は、スレーブが撮影指示情報を受信すると撮影を実行する撮影指示情報受信モードに設定されている場合の処理を示している。
【００５３】
最初のステップ１０１は、マスタからの撮影指示情報受信待ちである。撮影指示情報を受信すると、スレーブはステップ１０２で撮影を実行し、その後に本処理を終了する。
【００５４】
次に、上記スレーブの処理に対応するマスタの処理について、図５を用いて説明する。この処理は、マスタがＭ台（Ｍは所定複数）のスレーブに撮影指示情報を送信する処理を示している。また、各スレーブは、スレーブ自身を識別するための識別情報を有し、以下に説明する処理での識別情報は０からＭ−１までの値である。すなわち、各スレーブには、０からＭ−１までの値が予め割り当てられているものとする。
【００５５】
ステップ２０１は、カウンタｋの初期化である。このカウンタｋは、０からＭ−１までをカウントするカウンタである。次のステップ２０２は、撮影開始指示待ちである。この撮影開始指示は、マスタを操作するユーザが撮影の開始を要求する指示であり、例えばユーザによってマスタのレリーズボタン５６Ａが全押し状態となった場合に撮影開始指示があったと判断する。
【００５６】
撮影開始が指示されると、マスタはステップ２０３で、識別情報Ｓ（ｋ）のスレーブに撮影開始指示情報を送信する。このＳは、本処理において順番を示しているｋから識別情報を求めるものである。従ってＳ（ｋ）は識別情報を示している。具体的に、３台のスレーブの場合、例えばＳ（０）＝２、Ｓ（１）＝０、Ｓ（２）＝１と予め定められており、この場合にマスタが撮影指示情報を送信する順番は、識別情報２のスレーブ、識別情報０のスレーブ、識別情報１のスレーブの順となる。
【００５７】
ステップ２０３で、撮影指示情報を送信すると、ステップ２０４で、マスタはｋ＝Ｍ−１かどうか判断する。ｋ＝Ｍ−１の場合、全てのスレーブに撮影指示情報を送信したこととなるので、処理が終了する。
【００５８】
ｋ＝Ｍではない場合、ステップ２０５でタイマＴ（ｋ）をセットする。Ｔ（ｋ）とは識別情報Ｓ（ｋ）のスレーブと識別情報Ｓ（ｋ＋１）のスレーブに対して撮影指示情報を送信する間隔を示す時間である。ステップ２０６で、タイムアウトと判断されると、ステップ２０７で、マスタはｋを増分する。そして、再びステップ２０３の処理が実行される。
【００５９】
以上の処理により、Ｍ台のスレーブに撮影指示情報を所定の間隔で送信することができる。なお、上記ｋ、Ｓ、Ｔは、以下の説明でも同様の意味で用いられる。
【００６０】
次に、マスタが撮影指示情報を送信する順番を設定する処理について説明する。以下に説明される図６、図７は、スレーブのレリーズボタン５６Ａが全押しされた順番で、マスタが撮影指示情報を送信する順番を設定する処理を示すものである。まず、図６を用いて、スレーブの処理について説明する。なお、この処理において、スレーブは、順番を設定するための順番設定モードになっているものとする。
【００６１】
ステップ３０１は、スレーブのレリーズボタンが全押しされたかどうかの判断である。ステップ３０２で、スレーブは、マスタにレリーズボタンが全押しされたことを示すレリーズボタン押下情報を送信する。このレリーズボタン押下情報は、パラメータとしてスレーブの識別情報ｊをもつ。
【００６２】
次に、図７を用いてマスタの処理を説明する。ステップ４０１は、カウンタｋの初期化である。次のステップ４０２は、レリーズボタン押下情報受信待ちである。
【００６３】
レリーズボタン押下情報を受信すると、マスタはステップ４０３で、Ｓ（ｋ）にｊを代入し、ステップ４０４で、ｋを増分する。そして、ステップ４０５で、マスタはｋ＝Ｍかどうか判断する。ｋ＝Ｍの場合、全てのスレーブの順番が設定されたこととなるので、処理が終了する。ｋ＝Ｍではない場合、マスタは再びステップ４０２の処理を実行する。
【００６４】
以上の処理により、レリーズボタン５６Ａが押下された順番にＳ（ｋ）に識別情報が代入されるので、順番を設定することが可能となる。
【００６５】
次に説明する順番の設定は、図８に示されるように、マスタのＬＣＤ３８にスレーブの撮像素子により得られた動画像であるスルー画像を表示し、表示されたスルー画像をユーザが選択した順番で設定するものである。この設定の場合は、マスタのみで設定が可能となる。図９を用いてマスタの処理を説明する。
【００６６】
ステップ５０１は、カウンタｋの初期化である。次のステップ５０２は、ユーザによるスルー画像の選択待ちである。
【００６７】
ユーザがスルー画像を選択すると、マスタはステップ５０３で、識別情報を取得する。この取得方法は、例えば表示したスルー画像と、そのスルー画像を送信したスレーブのＩＰアドレスと、識別情報とを関連づけておく方法や、スルー画像を送信するスレーブが、スルー画像とともに識別情報を送信する方法がある。
【００６８】
識別情報を取得すると、マスタは、ステップ５０４で、Ｓ（ｋ）にｊを代入し、ステップ５０５で、ｋを増分する。そして、ステップ５０６で、マスタはｋ＝Ｍかどうか判断する。ｋ＝Ｍの場合、全てのスレーブの順番が設定されたこととなるので、処理が終了する。ｋ＝Ｍではない場合、マスタは再びステップ５０２の処理を実行する。
【００６９】
次に、撮影指示情報を送信する間隔を設定する処理を、図１０のフローチャートを用いて説明する。間隔の設定はマスタで行われるので、マスタにおける処理のみの説明となる。
【００７０】
ステップ６０１は、カウンタｋの初期化である。次のステップ６０２は、ユーザによる間隔入力待ちである。間隔の入力は、例えば十字カーソルボタン５６Ｄを用いることにより可能である。具体的には、十字カーソルボタン５６Ｄを上に押すと間隔時間が増え、下に押すと間隔時間が減り、決定キーに押すと入力完了とすればユーザによる入力が可能である。
【００７１】
ステップ６０２でユーザにより間隔が入力されると、マスタはステップ６０３で、その間隔ｔを取得し、ステップ６０４でＴ（ｋ）にｔを代入し、ステップ６０５で、ｋを増分する。そして、ステップ６０６で、マスタはｋ＝Ｍ−１かどうか判断する。ｋ＝Ｍ−１の場合、全てのスレーブの順番が設定されたこととなるので、処理が終了する。ｋ＝Ｍ−１ではない場合、マスタは再びステップ６０２の処理を実行する。
【００７２】
以上の説明した実施の形態において、マスタは、撮影開始指示手段と撮影指示送信手段を備えていれば良く、この撮影指示送信手段は特別なハードウェアを必要としないソフトウェアで可能な処理であるので、ＰＣなどの情報処理装置であっても実現することができる。また、順番設定手段、及び間隔設定手段も同様にＰＣなどの情報処理装置で実現可能である。
【図面の簡単な説明】
【００７３】
【図１】本実施の形態に係る撮影システムの全体構成を示す図である。
【図２】本実施の形態に係るデジタルカメラの外観上の構成を示す図である。
【図３】本実施の形態に係るデジタルカメラの電気系の構成を示す図である。
【図４】スレーブの処理を示すフローチャートである（その１）。
【図５】マスタの処理を示すフローチャートである（その１）。
【図６】スレーブの処理を示すフローチャートである（その２）。
【図７】マスタの処理を示すフローチャートである（その２）。
【図８】６つのスレーブから受信したスルー画像を表示した画像を示す図である。
【図９】マスタの処理を示すフローチャートである（その３）。
【図１０】マスタの処理を示すフローチャートである（その４）。
【符号の説明】
【００７４】
１０、７０、７０ａ、７０ｂ、７０ｃ  デジタルカメラ
３６  ＬＣＤインタフェース
３８  ＬＣＤ
４０  ＣＰＵ（撮影実行手段、撮影指示情報送信手段、順番設定手段、間隔設定手段）
４４  ストロボ（照射手段）
５６Ａ  レリーズボタン（撮影開始指示手段）
５６Ｂ  電源スイッチ
５６Ｃ  モード切替スイッチ
５６Ｅ  強制発光スイッチ
５６Ｄ  十字カーソルボタン
５６  操作部
６０  無線ＬＡＮインタフェース
【図１】
2007228178.tif 000003
【図２】
2007228178.tif 000004
【図３】
2007228178.tif 000005
【図４】
2007228178.tif 000006
【図５】
2007228178.tif 000007
【図６】
2007228178.tif 000008
【図７】
2007228178.tif 000009
【図８】
2007228178.tif 000010
【図９】
2007228178.tif 000011
【図１０】
2007228178.tif 000012